(57)【要約】      （修正有）【課題】記録装置においてその大型化を抑制することができ、インクチューブを記録装置の筐体から外側に延出させる構成においてコストを抑制できる記録装置を提供する。【解決手段】記録装置は、記録ヘッドを備えるヘッドユニットを、記録ヘッドの走査方向に移動可能に装置本体に有する記録ユニットと、記録ユニットの上部に設けられ、記録ユニットの上部を開閉可能なスキャナーユニット１４とを備え、記録ユニットは、ヘッドユニットの移動領域における少なくとも一部の移動領域上方を露呈させる開口部９０を形成するハウジング２０と、開口部９０周囲の上面を利用して固定され、スキャナーユニット１４と記録ユニットとの間からハウジング２０の外方に延出する、可撓性を有するインクチューブ１１０と、媒体を収容する媒体収容部から媒体を送り出す給送手段と、媒体排出方向上流側に給送手段を避ける逃げ部が形成された媒体受けトレイとを備えている。【選択図】図９
2014034204.tif 000002
【特許請求の範囲】
【請求項１】
媒体に対してインクを吐出する記録ヘッドを備えるヘッドユニットを、前記記録ヘッドの走査方向に移動可能に装置本体に有する記録ユニットと、
前記記録ユニットの上部に設けられ、前記記録ユニットの上部を開閉可能な開閉体と、
を備え、
前記記録ユニットは、前記ヘッドユニットの移動領域における少なくとも一部の移動領域上方を露呈させる開口部を形成するハウジングと、
前記ハウジングにおいて前記開口部周囲の上面を利用して固定され、前記開閉体と前記記録ユニットとの間から前記ハウジングの外方に延出する、インクを収容するインク収容部から送られるインクを前記ヘッドユニットへと導く可撓性を有するインクチューブと、
媒体を収容する媒体収容部から媒体を送り出す給送手段と、
前記記録ユニットから突出する突出位置と前記記録ユニット内に収容される収納位置との間を変位可能に設けられた、排出される媒体を受ける媒体受けトレイと、を備え、
前記媒体収容部は、前記媒体受けトレイの下方に、前記媒体受けトレイから独立して前記記録ユニットに対し着脱可能な媒体収容トレイを備え、
前記媒体受けトレイは、媒体排出方向上流側に前記給送手段を避ける逃げ部が形成され、前記収納位置において前記逃げ部の内側に前記給送手段が位置する、
ことを特徴とする記録装置。
【請求項２】
請求項１に記載の記録装置において、前記逃げ部は、前記給送手段を囲むように切り欠き状に形成されている、
ことを特徴とする記録装置。
【請求項３】
請求項１または２に記載の記録装置において、前記媒体収容部は前記媒体収容トレイとして下段側トレイと、当該下段側トレイの上部に当該下段側トレイから独立して設けられる上段側トレイとを備え、
前記給送手段は、前記上段側トレイ及び前記下段側トレイのいずれか一方が前記記録ユニットから取り外された状態において、他方にアクセス可能である、
ことを特徴とする記録装置。
【請求項４】
請求項３に記載の記録装置において、前記給送手段は一の給送ローラーを備え、
当該一の給送ローラーが、前記上段側トレイ及び前記下段側トレイの双方にアクセス可能である、
ことを特徴とする記録装置。
【請求項５】
請求項１から４のいずれか１項に記載の記録装置において、前記開閉体がスキャナーユニットである、
ことを特徴とする記録装置。
【請求項６】
請求項５に記載の記録装置において、前記記録ユニットの奥行き方向において、ユニット手前側から奥方に向かって前記スキャナーユニットの自由端、前記開口部、前記スキャナーユニットの回動軸、の順に配置されており、
前記インクチューブは、前記開口部に対して前記スキャナーユニットの自由端側に配置されている、
ことを特徴とする記録装置。
【請求項７】
請求項５に記載の記録装置において、前記記録ユニットの奥行き方向において、ユニット手前側から奥方に向かって前記スキャナーユニットの自由端、前記開口部、前記スキャナーユニットの回動軸、の順に配置されており、
前記インクチューブは、前記開口部に対して前記スキャナーユニットの回動軸側に配置されている、
ことを特徴とする記録装置。
【請求項８】
請求項１から７のいずれか１項に記載の記録装置において、前記ハウジングの外側に前記インクチューブが接続されたインク収容部を備えている、
ことを特徴とする記録装置。
【発明の詳細な説明】
【技術分野】
【０００１】
本発明は、記録ユニットと、該記録ユニットの上部に当該記録ユニット上部を開閉可能な開閉体とを備える記録装置に関する。  
本願において、記録装置には、インクジェットプリンター、複写機、ファクシミリ等の種類が含まれるものとする。
【背景技術】
【０００２】
記録装置の一例としてインクジェットプリンターがある。このインクジェットプリンターにおいて、プリンター機能に加えてスキャナー機能を備えたものがある（特許文献１）。このスキャナー機能を備えたインクジェットプリンターは、複合機と呼ばれている。この複合機は、１台で原稿の読み取りと、用紙への記録を実行することができ、利便性が向上するとともに設置スペースの節約にもなる。
【０００３】
このインクジェットプリンターにおいては、装置本体であるプリンターユニットの上部にスキャナーユニットが前記プリンターユニットに対して前記スキャナーユニットの後端部に設けられた回動軸を支点に回動自在に設けられている。
【０００４】
スキャナーユニットは、筐体であるアッパーフレームと、アッパーフレームに収容された画像読取部と、アッパーフレームの上部に回動自在に支持された上蓋と、上蓋を閉じた際に該上蓋と対向する原稿載置板とを備えている。このスキャナーユニットでは、前記原稿載置板に原稿を載置し、画像読取部を前記スキャナーユニット内に設けられたガイド軸に沿って移動させながら原稿を読み取らせることができる。
【０００５】
ところで、このスキャナーユニットを備えるインクジェットプリンターは、プリンターユニットの上部にスキャナーユニットを備えることから、記録装置の高さが増し、該記録装置の大型化を招いていた。
【０００６】
また、インクジェットプリンターの様なインクカートリッジを備える記録装置では、装置本体内に取り外し可能に配置されるインクカートリッジに収容されるインクの容量には限りがある。このため、このインクジェットプリンターでは、大量の被記録媒体への記録を実行することによりインクカートリッジを交換する回数が増える虞がある。
【０００７】
このため、キャリッジを備える記録装置において、前記キャリッジ側に接続されたインクチューブを装置本体外側に配置された大容量のインクタンクに接続し、大容量インクタンクからキャリッジ側にインクを供給することにより、大量の被記録媒体に記録を実行することを可能にしたインク供給システムを備えた記録装置がある（特許文献２）。
【先行技術文献】
【特許文献】
【０００８】
【特許文献１】特開２０１２−１０９７０３号公報
【特許文献２】特開２００８−２３８７８７号公報
【発明の概要】
【発明が解決しようとする課題】
【０００９】
この記録装置ではキャリッジ側にインクチューブの一端を接続し、装置本体外側のインクタンクに他端が接続されている。しかし、この様な記録装置において、プリンターの筐体内から該筐体の外側へインクチューブを延出させるには、前記筐体に穴を開けることや前記筐体に前記インクチューブを延出させるための部材等が必要となり、記録装置のコストが増大する要因となり得る。
【００１０】
本発明は、上記問題点に鑑みてなされたもので、記録装置において記録装置の大型化を抑制することができるとともにインクチューブを記録装置の筐体から該筐体の外側に延出させる構成においてコストを抑制することができる記録装置を提供することを目的とする。
【課題を解決するための手段】
【００１１】
上記課題を達成するため、本発明の第１の態様の記録装置は、媒体に対してインクを吐出する記録ヘッドを備えるヘッドユニットを、前記記録ヘッドの走査方向に移動可能に装置本体に有する記録ユニットと、前記記録ユニットの上部に設けられ、前記記録ユニットの上部を開閉可能な開閉体と、を備え、前記記録ユニットは、前記ヘッドユニットの移動領域における少なくとも一部の移動領域上方を露呈させる開口部を形成するハウジングと、前記ハウジングにおいて前記開口部周囲の上面を利用して固定され、前記開閉体と前記記録ユニットとの間から前記ハウジングの外方に延出する、インクを収容するインク収容部から送られるインクを前記ヘッドユニットへと導く可撓性を有するインクチューブと、媒体を収容する媒体収容部から媒体を送り出す給送手段と、前記記録ユニットから突出する突出位置と前記記録ユニット内に収容される収納位置との間を変位可能に設けられた、排出される媒体を受ける媒体受けトレイと、を備え、前記媒体収容部は、前記媒体受けトレイの下方に、前記媒体受けトレイから独立して前記記録ユニットに対し着脱可能な媒体収容トレイを備え、前記媒体受けトレイは、媒体排出方向上流側に前記給送手段を避ける逃げ部が形成され、前記収納位置において前記逃げ部の内側に前記給送手段が位置することを特徴とする。
【００１２】
本態様によれば、インクチューブは開口部周囲の上面を利用して固定され、前記開閉体と前記記録ユニットとの間から前記ハウジングの外方に延出させられる構成であることから、前記ハウジングにインクチューブを通すための穴やインクチューブを延出させるための部材等を新たに設ける必要がなく、或いは前記部材を設けるとしても少ない部材によりインクチューブを延出させるための構造を構成することができる。したがって、本態様の記録装置は、該記録装置のコストを抑制しつつ、インクチューブを前記記録装置のハウジングから該ハウジングの外側に延出させることができる。
【００１３】
本発明の第２の態様は、第１の態様において、前記逃げ部は、前記給送手段を囲むように切り欠き状に形成されていることを特徴とする。
【００１４】
本発明の第３の態様は、第１のまたは第２の態様において、前記媒体収容部は前記媒体収容トレイとして下段側トレイと、当該下段側トレイの上部に当該下段側トレイから独立して設けられる上段側トレイとを備え、前記給送手段は、前記上段側トレイ及び前記下段側トレイのいずれか一方が前記記録ユニットから取り外された状態において、他方にアクセス可能であることを特徴とする。
【００１５】
本態様によれば、下段側トレイと上段側トレイとを備えた構成において、これらのいずれか一方が取り外された状態においても、他方にアクセス可能であるので、媒体収容トレイの装着状態に拘わらず媒体を給送することができる。
【００１６】
本発明の第４の態様は、第３の態様において、前記給送手段は一の給送ローラーを備え、当該一の給送ローラーが、前記上段側トレイ及び前記下段側トレイの双方にアクセス可能であることを特徴とする。  
本態様によれば、一の給送ローラーで上段側トレイ及び下段側トレイの双方にアクセスできるので、給送手段を構造簡単にして且つ低コストに構成できる。
【００１７】
本発明の第５の態様は、第１から第４の態様のいずれかにおいて、前記開閉体がスキャナーユニットであることを特徴とする。
【００１８】
本発明の第６の態様の記録装置は、第５の態様において、前記記録ユニットの奥行き方向において、ユニット手前側から奥方に向かって前記スキャナーユニットの自由端、前記開口部、前記スキャナーユニットの回動軸、の順に配置されており、前記インクチューブは、前記開口部に対して前記スキャナーユニットの自由端側に配置されていることを特徴とする。
【００１９】
本態様によれば、前記インクチューブが前記スキャナーユニットの自由端側に配置されていることから、前記記録ユニットに対する前記スキャナーユニットの変位量を小さくすることができる。すなわち、前記インクチューブが前記スキャナーユニットの回動軸側に配置されていると、前記記録ユニットに対して前記スキャナーユニットを大きく開かなければならず、前記スキャナーユニットの変位量が大きくなり、記録装置の高さが増大する。このため、前記インクチューブが前記スキャナーユニットの自由端側に配置されていると前記スキャナーユニットの変位量を小さくすることができることから、記録装置の高さを抑制することができる。
【００２０】
本発明の第７の態様の記録装置は、第５の態様において、前記記録ユニットの奥行き方向において、ユニット手前側から奥方に向かって前記スキャナーユニットの自由端、前記開口部、前記スキャナーユニットの回動軸、の順に配置されており、前記インクチューブは、前記開口部に対して前記スキャナーユニットの回動軸側に配置されていることを特徴とする。
【００２１】
本態様によれば、前記インクチューブが前記開口部に対して前記スキャナーユニットの回動軸側に配置されていることから、紙ジャム等においてユーザーが前記開口部内に手を入れて作業する際、前記インクチューブの取り回しが作業の支障にならないことからユーザーの作業性を向上させることができる。
【００２２】
本発明の第８の態様の記録装置は、第１から第７のいずれか一の態様において、前記ハウジングの外側に前記インクチューブが接続されたインク収容部を備えていることを特徴とする。
【００２３】
本態様によれば、前記ハウジングの外側にインク収容部を備えることから、前記インク収容部を大容量化することができ、大量の媒体に記録を実行することができるとともに、インクカートリッジの交換回数を減らすことができることから利便性を向上させることができる。
【図面の簡単な説明】
【００２４】
【図１】本発明に係るプリンターの外観斜視図。
【図２】本発明に係るプリンターの外観斜視図。
【図３】本発明に係るプリンターの外観斜視図。
【図４】本発明に係るプリンターの下段側トレイに収容された用紙の用紙搬送経路を示す側断面図。
【図５】本発明に係るプリンターの上段側トレイに収容された用紙の用紙搬送経路を示す側断面図。
【図６】給送手段と媒体受けトレイとの配置関係を示す斜視図。
【図７】媒体受けトレイの斜視図。
【図８】記録ユニットから媒体受けトレイが突出した状態を示す斜視図。
【図９】第１の実施例においてスキャナーユニットを開状態とした際の外観斜視図。
【図１０】第１の実施例においてスキャナーユニットを開状態とした際の側面図。
【図１１】第１の実施例においてスキャナーユニットを閉状態とした際の外観斜視図。
【図１２】第１の実施例の変更例におけるスキャナーユニットを開状態とした際の外観斜視図。
【図１３】第２の実施例においてスキャナーユニットを開状態とした際の外観斜視図。
【図１４】第３の実施例においてスキャナーユニットを開状態とした際の外観斜視図。
【図１５】第４の実施例においてスキャナーユニットを開状態とした際の外観斜視図。
【図１６】（Ａ）、（Ｂ）は排紙受けトレイに形成された逃げ部の形状を模式的に示す図。
【発明を実施するための形態】
【００２５】
以下、本発明の実施の形態を図面に基づいて説明する。尚、各実施例において同一の構成については、同一の符号を付し、最初の実施例においてのみ説明し、以後の実施例においてはその構成の説明を省略する。
【００２６】
図１、図２及び図３は本発明に係る「記録装置」の一実施形態であるインクジェットプリンター（以下「プリンター」と言う）１０の外観斜視図であり、図４は本発明に係るプリンターの下段側トレイに収容された用紙の用紙搬送経路を示す側断面であり、図５は本発明に係るプリンターの上段側トレイに収容された用紙の用紙搬送経路を示す側断面図であり、図６は給送手段と媒体受けトレイとの配置関係を示す斜視図であり、図７は媒体受けトレイの斜視図であり、図８は記録ユニットから媒体受けトレイが突出した状態を示す斜視図であり、図９は第１の実施例においてスキャナーユニットを開状態とした際の外観斜視図であり、図１０は第１の実施例においてスキャナーユニットを開状態とした際の側面図である。
【００２７】
図１１は第１の実施例においてスキャナーユニットを閉状態とした際の外観斜視図であり、図１２は第１の実施例の変更例におけるスキャナーユニットを開状態とした際の外観斜視図であり、図１３は第２の実施例においてスキャナーユニットを開状態とした際の外観斜視図であり、図１４は第３の実施例においてスキャナーユニットを開状態とした際の外観斜視図であり、図１５は第４の実施例においてスキャナーユニットを開状態とした際の外観斜視図である。更に図１６（Ａ）、（Ｂ）は排紙受けトレイ８に形成された逃げ部の形状を模式的に示す図である。
【００２８】
尚、後に詳述する様に本実施形態に係るプリンター１０は、図９に示す様にインク収容部１１２やインクチューブ１１０を備えている。しかしながら図１〜図３ではこれらを省略し、主としてインク収容部１１２やインクチューブ１１０を除いたプリンター１の構成について示すものとする。加えてスキャナーユニット１４が最大限に閉じた状態では、装置本体１２とスキャナーユニット１４との間に図１０に示す様に空間（隙間）１０６が形成されるが（後述）、図１〜図３ではこの空間１０６が形成されないものとして示すものとする。
【００２９】
尚、図４及び図５はプリンター１０の用紙搬送経路上に配置されるローラーを図示するために、ほぼ全てのローラーを同一面上に描いているが、その奥行き方向（図４及び図５の紙面表裏方向）の位置は必ずしも一致しているとは限らない（一致している場合もある。）。また、図４において示すＸ−Ｙ−Ｚ座標系はＸ方向が記録ヘッドの走査方向、−Ｙ方向が記録装置の奥行き方向、Ｚ方向が装置高さ方向を示している。尚、各図において−Ｙ方向を装置前面側とし、＋Ｙ方向側を装置背面側とする。
【００３０】
＜＜＜１．プリンターの全体構成＞＞＞  
以下、図１〜図５を参照しつつプリンター１０の全体構成について概説する。プリンター１０は、媒体の一例としての記録用紙にインクジェット記録を行う「記録ユニット」としての装置本体１２の上部に「開閉体」としてのスキャナーユニット１４（図４及び図５参照）を備えており、即ちインクジェット記録機能に加えてスキャナー機能を備える複合機として構成されている。
【００３１】
スキャナーユニット１４は、装置本体１２に対して回動可能に設けられており、回動することにより、閉じた状態（図１）と開いた状態（図８）とをとり得る。スキャナーユニット１４において上部のカバー１６は開閉可能なカバーであり、当該カバー１６を開放することにより、スキャナーユニット１４の原稿台１８（図４及び図５参照）が表れる様になっている。また、装置本体１２は、後述するヘッドユニットすなわちキャリッジ６６の移動領域における少なくとも一部の移動領域上方を露呈させる開口部９０を形成するハウジング２０によって覆われている。
【００３２】
装置本体１２の前面には、電源ボタンや各種印刷設定・記録実行を行う操作ボタン、印刷設定内容や印刷画像のプレビュー表示などを行う表示部、等を備えて成る操作パネル２２が設けられている。操作パネル２２はチルト可能に構成されており、図１は全閉状態を、図２は全開状態を、図３は半開き状態を、それぞれ示している。図１〜図３に示す様に操作パネル２２は、ユーザーが操作し易い角度に調整できる様になっている。尚、操作パネル２２の開き角は、図示しない角度保持手段により保持され、またボタン操作の為に閉方向の外力を受けた場合であってもその角度が保持される様になっている。
【００３３】
装置前面において操作パネル２２の下方にはカバー２４が設けられている。カバー２４は、下段側トレイ２６に設けられた開閉可能なカバーであり、図１はカバー２４が閉じた状態を、図２及び図３はカバー２４が開いた状態を、それぞれ示している。そしてカバー２４を開くことにより、下段側トレイ２６、上段側トレイ２８及び媒体受けトレイ３０が露呈可能となり、下段側トレイ２６や上段側トレイ２８の着脱作業や、媒体受けトレイ３０のスライド動作が実行可能となる。
【００３４】
媒体受けトレイ３０は、図示しないモーターによって装置本体１２に収納された収納位置（図１参照）と、装置本体１２の前方側に突出した突出位置（図３、図４及び図５参照）と、の間をスライド変位可能に設けられており、装置本体１２の前方側に突出した突出位置をとることで、記録が行われて排出される記録用紙を受けることができる。尚、本実施形態に係る媒体受けトレイ３０はモーターの動力を受けて変位動作するが（自動オープンタイプ）、ユーザー操作により変位動作する構成であっても良い（手動オープンタイプ）。
【００３５】
媒体収容部を構成する、下段側トレイ２６と、その上部に設けられる上段側トレイ２８は、複数枚の記録用紙を収容可能であり、装置本体１２に対して着脱可能となっている。
【００３６】
続いて、装置本体１２の後方上部には開閉可能な手差しカバー３２が設けられている。この手差しカバー３２を開くことにより、手差しトレイ３４（図４及び図５）を利用した記録用紙の手差しでの給紙が行える様になっている。
【００３７】
続いて、図４及び図５を参照してプリンター１０の用紙搬送経路について説明する。本実施形態に係るプリンター１０は、装置底部に下段側トレイ２６及び上段側トレイ２８を備え、当該下段側トレイ２６或いは上段側トレイ２８から記録用紙を１枚ずつ給送する。
【００３８】
上段側トレイ２８は、給送可能位置（図５）と退避位置(図４）との間をスライド変位可能に設けられており、そして図示しないモーターの動力を受けて、給送可能位置（図５）と退避位置(図４）との間を変位する様に構成されている。
【００３９】
尚、図４及び図５においては、下段側トレイ２６に収容される用紙を符号Ｐ１で、上段側トレイ２８に収容される用紙を符号Ｐ２で、それぞれ示している（以下、特に区別する必要がない場合は「用紙Ｐ」と言う）。また、下段側トレイ２６から送り出される用紙Ｐ１の通過軌跡を破線Ｔ１（図４参照）で、上段側トレイ２８から送り出される用紙Ｐ２の通過軌跡を破線Ｔ２（図５参照）で、それぞれ示している。
【００４０】
図示しないモーターによって回転駆動される給送ローラー（ピックアップローラーとも呼ばれる）３６は、回動軸３８を中心に揺動する揺動部材４０に設けられており、上段側トレイ２８が最も装置前方側（図４及び図５において右方向：上段側トレイ２８の引き抜き方向側）にスライドした状態、即ち上段側トレイ２８が退避位置にあるときは（図４の状態）、下段側トレイ２６に収容された用紙Ｐ１の最上位のものと接して回転することにより、当該最上位の用紙Ｐ１を下段側トレイ２６から送り出す。
【００４１】
また上段側トレイ２８が最も装置後方側（図４及び図５において左方向：上段側トレイ２８の装着方向側であり、用紙送り出し方向側でもある）にスライドした突き当たり位置にあるとき、即ち上段側トレイ２８の給送可能位置では（図５の状態）、給送ローラー３６が上段側トレイ２８に収容された用紙Ｐ２の最上位のものと接して回転することにより、当該最上位の用紙Ｐ２を上段側トレイ２８から送り出す。
【００４２】
尚、本実施形態では図６に示す様に回動軸３８は揺動部材４０の揺動軸を構成するとともに、図示しないモーターの動力を受けて回転することで、図６に示す様に回動軸３８に設けられた伝達歯車４２から、歯車輪列４４を介し、給送ローラー３６へと動力を伝達する。また本実施形態において揺動部材４０と給送ローラー３６は、用紙Ｐを給送する給送手段４６（図６）を構成する。
【００４３】
尚、本実施形態では一の給送ローラー３６により、下段側トレイ２６と上段側トレイ２８の双方にアクセス可能である。また給送ローラー３６は、下段側トレイ２６と上段側トレイ２８のいずれか一方が装置本体１２から取り外された状態であっても、他方にアクセスでき、当該他方のトレイから用紙の給送が可能である。
【００４４】
続いて装置本体１２において下段側トレイ２６及び上段側トレイ２８の先端と対向する位置には、分離斜面４８が設けられており、下段側トレイ２６が装着された状態では、下段側トレイ２６の先端に設けられたストッパー（不図示）が、分離斜面４８より奥方（図４及び図５において左側）に入り込み、下段側トレイ２６に収容された用紙先端が分離斜面４８と当接可能な状態となる。
【００４５】
また上段側トレイ２８においては、当該上段側トレイ２８が給送可能位置（突き当たり位置：図５）に位置決めされた状態において、上段側トレイ２８の先端に設けられたストッパー５０が、分離斜面４８より奥方に入り込み、上段側トレイ２８に収容された用紙先端が分離斜面４８と当接可能な状態となる。
【００４６】
そして下段側トレイ２６或いは上段側トレイ２８から送り出される用紙Ｐは、その先端が分離斜面４８に接しながら下流側に進むことで、給送されるべき最上位の用紙Ｐと次位以降の用紙Ｐとの分離が行われる。
【００４７】
分離斜面４８の先には、図示しないモーターによって回転駆動される中間ローラー５２が設けられており、この中間ローラー５２によって用紙Ｐは湾曲反転させられ、装置前方側へと向かう。中間ローラー５２の周囲には、給送経路に沿って中間ローラー５２に対して従動回転可能な従動ローラー５４、５６、５８がそれぞれ設けられている。用紙Ｐは、給送経路に送り込まれると、給送経路に沿って中間ローラー５２と従動ローラー５４、５６、５８とに順次挟持されて給送経路下流側へと送られる。
【００４８】
中間ローラー５２の先には、図示しないモーターによって回転駆動される搬送駆動ローラー６０と、該搬送駆動ローラー６０に接して従動回転する搬送従動ローラー６２とが設けられており、これらローラーによって用紙Ｐが記録ヘッド６４の下へと送られる。
【００４９】
続いてインクを吐出する記録ヘッド６４はキャリッジ６６の底部に設けられ、当該キャリッジ６６は図示しないモーターによって主走査方向（図４及び図６の紙面表裏方向）に往復動する様に駆動される。また、ハウジング２０に形成された開口部９０（図９参照）によりキャリッジ６６の移動領域における少なくとも一部の移動領域上方が露呈させられている。これにより、スキャナーユニット１４が装置本体１２に対して開いた状態の際、キャリッジ６６に装置本体１２の外部からアクセス可能となり、キャリッジ６６に取り付けられたインクカートリッジ（図示せず）の着脱作業を行うことが可能となる。
【００５０】
記録ヘッド６４と対向する位置には支持部材すなわちプラテン６８が設けられ、当該支持部材６８によって、用紙Ｐと記録ヘッド６４との間隔が規定される。そして支持部材６８の下流側には、図示しないモーターによって回転駆動される排出駆動ローラー７０と、当該排出駆動ローラー７０に接して従動回転する排出従動ローラー７２とを備えた排出手段が設けられている。記録ヘッド６４によって記録の行われた用紙Ｐは、これらローラーにより、上述した媒体受けトレイ３０へ向けて排出される。
【００５１】
また、プリンター１０において用紙Ｐの両面に記録を行う場合には、記録ヘッド６４によって用紙Ｐの第１面に記録が行われた後、用紙Ｐは搬送駆動ローラー６０及び排出駆動ローラー７０の逆送り動作により前記第１面に記録が実行された際に用紙後端となっていた側が先端となって搬送駆動ローラー６０の上流側に戻される。さらに用紙Ｐは、搬送駆動ローラー６０の逆戻り動作により反転経路６９へと送られる。反転経路６９内に送られた用紙Ｐは、中間ローラー５２と反転ローラー７１とにより挟持され、再度給送経路に戻される。
【００５２】
給送経路に戻された用紙Ｐは、従動ローラー５４，５６，５８を経て中間ローラー５２により給送経路下流側の搬送駆動ローラー６０へと再度送られる。このとき、用紙Ｐの第１面と第２面とは湾曲反転させられ、該第２面が記録ヘッド６４と対向する。用紙Ｐは、搬送駆動ローラー６０により記録ヘッド６４と対向する位置へ送られる。記録ヘッド６４により前記第２面の記録が行われた用紙Ｐは、排出駆動ローラー７０により装置前方側に設けられた媒体受けトレイ３０へ排出される。
【００５３】
＜＜＜２．スキャナーユニットの構成＞＞＞  
続いて、スキャナーユニット１４の構成について説明する。スキャナーユニット１４は、回動軸７４（図４及び図５）を介して装置本体１２に回動可能に連結されており、回動することにより装置本体１２の上部を開閉する。スキャナーユニット１４が開いた状態では、装置本体１２の内部にアクセス可能となり、例えばキャリッジ６６に搭載されたインクカートリッジ（不図示）の交換作業や紙ジャム処理などを行える様になっている。
【００５４】
スキャナーユニット１４は、記録ヘッド６４の走査方向と同方向であるＸ方向に沿って走査する読み取りユニット７６が設けられている。読み取りユニット７６は、ＣＩＳ（Contact Image Sensor）或いはＣＣＤ（Charge Coupled Device）などのイメージセンサーを搭載して成る。
【００５５】
読み取りユニット７６は、Ｙ方向すなわち装置奥行き方向に長い形状を成し、不図示の駆動源から動力を得て、Ｘ方向に延設された「ガイド部」としてのガイドレール７８にガイドされながら、Ｘ方向に移動する。尚、読み取りユニット７６の下部には、ガイドレール７８と摺接する被ガイド部８０が設けられている。また、読み取りユニット７６にはスキャナーユニット１４の内側底部と接して従動回転する従動ローラー８２が設けられている。原稿台１８に対する読み取りユニット７６の平行（姿勢）は、被ガイド部８０と従動ローラー８２とによって保たれる。
【００５６】
スキャナーユニット１４の底面８４には、当該底面８４から装置本体１２の側へ突出する様に、Ｘ方向に延設された突状部８６が設けられている。突状部８６は、ガイドレール７８を配設する為の突状部であり、キャリッジ６６の走行領域に面する傾斜面８６ａと、両面ユニット８８に面する垂直面８６ｂと、によって装置奥行き方向（Ｙ方向）の占有領域が構成されている。
【００５７】
以上説明したプリンター１０の構成において、図４及び図５の符号Ａ１はユニット奥行き方向（Ｙ方向）におけるキャリッジ６６の占有領域、符号Ａ２は突状部８６の占有領域、符号Ａ３は中間ローラー５２の占有領域、をそれぞれ示している。
【００５８】
図示する様に、本実施形態に係るプリンター１０は、装置奥行き方向において、装置手前側（図４及び図５において右側）から奥方（図４及び図５において左側）に向かってスキャナーユニット１４の自由端側１４ａ、開口部９０内に配置されたキャリッジ６６、突状部８６、スキャナーユニット１４の回動軸７４、の順に配置されており、装置奥行き方向において突状部８６は、スキャナーユニット１４の中央位置（図４及び図５において位置Ｙｃ（ｙ１＝ｙ２））より回動軸７４の側に配置されている。
【００５９】
即ち、スキャナーユニット１４の突状部８６とキャリッジ６６とが、装置奥行き方向において位置をずらして配置されるので、突状部８６とキャリッジ６６とを重畳して配置する必要がない。このため、キャリッジ６６と突状部８６とを、高さ方向（Ｚ方向）でオーバーラップさせることができる。従って本実施形態によれば、突状部８６とキャリッジ６６とを重畳して配置する構成に比して装置の低背化を図ることができる。
【００６０】
＜＜＜３．媒体受けトレイ３０の詳細＞＞＞  
続いて、図６ないし図８を参照して媒体受けトレイ３０について更に詳説する。媒体受けトレイ３０は、本実施形態では用紙を受ける用紙受け面３０ａの全領域が一の部材により形成されており、即ち多段式（引き出し式）ではなく一段式のトレイとして構成されている。より具体的には、本実施形態では媒体受けトレイ３０の全体が樹脂材料によって一体的に形成されている。これにより媒体受けトレイとして全体的な剛性の向上が図られているとともに、構造の簡素化により低コスト化が図られている。
【００６１】
媒体受けトレイ３０は、その端部（用紙排出方向と交差する方向（用紙幅方向すなわち走査方向）の端部）３０ｂが、装置本体１２の基体を構成するフレーム９２（図８）に対してスライド可能に支持されている。この媒体受けトレイ３０の両端部（用紙排出方向と交差する方向の両端部）には用紙排出方向に沿ってラック部３０ｃが形成されている。ラック部３０ｃはラック＆ピニオン機構を構成するラックであり、図示を省略するピニオン歯車が噛合している。そして図示しないモーターの動力により前記ピニオン歯車が回転することにより、媒体受けトレイ３０がスライド動作する。尚、本実施形態ではラック部３０ｃは両端部に形成されているが、いずれか一端側にのみ形成されていても良い。
【００６２】
媒体受けトレイ３０において用紙排出方向の上流側（図４及び図５において左側、図６ないし図８において左上側）には、給送手段４６を避ける逃げ部３０ｄが形成されている。この逃げ部３０ｄは、その幅(用紙幅方向の幅）ｈが揺動部材４０の幅よりやや大きめに設定されており、即ち逃げ部３０ｄは媒体受けトレイ３０が収納位置にあるときに（図６の状態）給送手段４６を囲むように、切り欠き状に形成され、逃げ部３０ｄの内側で揺動部材４０が揺動できる様に設定されている。また、本実施形態では用紙幅方向における給送基準位置は用紙Ｐの中央に設定されている為、逃げ部３０ｄは、用紙幅方向においてほぼ中央に形成されている。
【００６３】
この逃げ部３０ｄは、以下の様な作用効果を奏する。即ち、媒体受けトレイ３０は装置本体１２の内部に収納可能に設けられるが、装置本体内に収納された状態において給送手段４６と媒体受けトレイ３０とを重畳して設けると、装置の大型化（特に、高さ方向寸法の増大）を招き易い。
【００６４】
しかしながら上述した通り、媒体受けトレイ３０は、給送手段４６を避ける逃げ部３０ｄが形成されているので、装置の高さ方向において給送手段４６と媒体受けトレイ３０とを重畳させる必要がなく、高さ方向で両者をオーバーラップさせることができ、装置の高さ方向寸法の増大を抑制することができる。
【００６５】
次に媒体受けトレイ３０において用紙受け面３０ａの下流側には、用紙Ｐの両端部が乗り上がる隆起部３０ｅが形成されており、この隆起部３０ｅに用紙Ｐの両端（用紙排出方向と交差する方向（用紙幅方向）における両端）が乗り上がることにより、用紙Ｐにカールが形成される。図８において符号Ｐ’及び仮想線で示す用紙はその様なカールが形成された状態を示しており、下流側の両端部が隆起部３０ｅに乗り上がり、またこれに加えて上流側の中央部が逃げ部３０ｄにやや入り込む様な状態となることで、用紙Ｐ’にカールが形成される。
【００６６】
これにより、用紙Ｐ’の先端が用紙受け面３０ａからはみ出して垂れ下がり、ひいては落下してしまうことを防止することができる。尚、図７に示す様な用紙Ｐ’のカールを形成する為には、逃げ部３０ｄは用紙幅方向の中央部に形成されることが好ましいが、逃げ部３０ｄが用紙幅方向の端部に形成されている様な場合でも、下流側の両端部に隆起部３０ｅが形成されていれば、用紙Ｐ’にカールの形成を促すことができる。  
本実施形態において逃げ部３０ｄは、図１６（Ａ）に示すように平面視した際の底部３０ｓが平坦状に形成されているが、図１６（Ｂ）に示す逃げ部３０ｄ’の底部３０ｓ’の様に、排出方向下流側（同図下方向）に向かって幅が狭くなる様に、例えばＶ字状やＵ字状に形成しても良い。
【００６７】
加えて媒体受けトレイ３０は、用紙Ｐを受ける用紙受け面３０ａの下流側に斜面３０ｆが形成され、即ち支持される用紙Ｐが上向き傾斜となる様に構成されているので、これによっても排出された用紙Ｐが容易に下方に落下しない様になっている。
【００６８】
■■■第１の実施例■■■■  
続いて、図９ないし図１１を参照して、プリンター１０の第１の実施例について説明する。図９において、装置本体１２に対してスキャナーユニット１４が開かれた状態を示している。装置本体１２は、該装置本体の外観を構成するハウジング２０により覆われ、ハウジング２０の上面９４には開口部９０が形成されている。開口部９０は、キャリッジ６６の移動領域における少なくとも一部の移動領域上方を露呈させている。
【００６９】
ハウジング２０の上面９４には、装置奥行き方向において開口部９０を挟んで、開口部９０の装置前方側に前縁部９６が形成され、開口部９０の装置後方側に後縁部９８が形成されている。前縁部９６の装置前方側には、操作パネル２２が設けられた前面パネル部１００が設けられている。前面パネル部１００の頂部１０２は、装置高さ方向において前縁部９６より上方に位置するように構成されている（図１０参照）。後縁部９８は、装置奥行き方向において、キャリッジ６６とスキャナーユニット１４の突状部８６との間に形成されている。
【００７０】
本実施例において、前縁部９６にはハウジング２０の上面９４から上方に突出するとともに前記走査方向における前縁部９６の中央部に隙間形成部材１０４が設けられている。すなわち、隙間形成部材１０４は、装置奥行き方向においてスキャナーユニット１４の自由端側１４ａに位置する。
【００７１】
隙間形成部材１０４は、スキャナーユニット１４を装置本体１２に対して閉じようとする際、スキャナーユニット１４の自由端側１４ａと係合し、スキャナーユニット１４を装置本体１２に対して半開き状態とする。これにより、前縁部９６において、装置奥行き方向において前面パネル部１００と隙間形成部材１０４との間に、かつ装置高さ方向においてハウジング２０の前縁部９６とスキャナーユニット１４の自由端側１４ａとの間に「隙間」としての空間１０６が形成される。
【００７２】
また、空間１０６の装置高さ方向における高さは、隙間形成部材１０４の装置高さ方向における高さにより規定されている。空間１０６は、後述するインクチューブ１１０が通され、少なくともインクチューブ１１０内のインク流路（図示せず）を遮断しない大きさに形成されている。したがって、隙間形成部材１０４の前記高さは、少なくともインクチューブ１１０がスキャナーユニット１４の自由端側１４ａに押しつぶされない高さに設定されている。
【００７３】
また、開口部９０に配置されたキャリッジ６６には、少なくとも１つのインク中継部１０８が取り付けられている。本実施例においては、複数のインク中継部１０８ａ，１０８ｂ，１０８ｃ，１０８ｄがキャリッジ６６に取り付けられている。インク中継部１０８は、キャリッジ６６の下部に設けられた記録ヘッド６４と連通し、インク中継部１０８から記録ヘッド６４にインクを送ることができるように構成されている。
【００７４】
また、インク中継部１０８には、可撓性のインクチューブ１１０が接続されている。インク中継部１０８ａ，１０８ｂ，１０８ｃ，１０８ｄにそれぞれ接続されたインクチューブ１１０ａ，１１０ｂ，１１０ｃ，１１０ｄは、装置本体１２内において取り回され、ハウジング２０の上面９４の前縁部９６に水平方向（図１０参照）に配列されて固定されるともに、空間１０６を通ってハウジング２０の外側に延出させられている。
【００７５】
すなわち、インクチューブ１１０は、装置奥行き方向においてスキャナーユニット１４の自由端側１４ａに位置している。ここで、インクチューブ１１０をスキャナーユニット１４の回動軸７４側に配置すると、インクチューブ１１０のインク流路を遮断しないようにハウジング２０外側に延出させるために装置本体１２に対して前記スキャナーユニット１４の自由端側１４ａを大きく開く必要がある。このため、前記スキャナーユニット１４の高さ方向における変位量が増大し、プリンター１０の高さが増大する。
【００７６】
一方、本実施例のようにインクチューブ１１０をスキャナーユニット１４の自由端側１４ａに配置すると、回動軸７４側に配置する場合よりも装置本体１２に対して前記スキャナーユニット１４の自由端側１４ａを大きく開く必要がない。このため、前記スキャナーユニット１４の高さ方向における変位量を抑制することができる、すなわちプリンター１０の高さを抑制することができる。
【００７７】
また、前面パネル部１００はインクチューブ１１０を空間１０６に通してハウジング２０の外側に延出させるように案内としても機能する。尚、ここでインクチューブ１１０が水平方向に配列されているとは、厳密にインクチューブ１１０が水平方向に配列されている状態を指すものではなく、インクチューブ１１０が装置奥行き方向に沿って並べられていれば、装置高さ方向にずれていても許容するものとする。
【００７８】
また、ハウジング２０の外側には、インク収容部１１２が設けられている。本実施例においてインク収容部１１２は、ハウジング２０の左側方に配置されている。空間１０６を通ってハウジング２０の外側に延びるインクチューブ１１０ａ，１１０ｂ，１１０ｃ，１１０ｄは、それぞれインク収容部１１２ａ，１１２ｂ，１１２ｃ，１１２ｄに接続されている。
【００７９】
したがって、インクチューブ１１０ａ，１１０ｂ，１１０ｃ，１１０ｄは、インク収容部１１２ａ，１１２ｂ，１１２ｃ，１１２ｄからインクをインク中継部１０８ａ，１０８ｂ，１０８ｃ，１０８ｄへと送り、記録ヘッド６４にインクを円滑に導くことができる。
【００８０】
また、インクチューブ１１０は、装置本体１２の奥行き方向においてスキャナーユニット１４の突状部８６と交差することなくキャリッジ６６から延出し、ハウジング２０の外側に配置されたインク収容部１１２に接続されている。したがって、スキャナーユニット１４の突状部８６とインクチューブ１１０との配置的な干渉を避けることができる。これにより装置全体の高さを低減することができる。
【００８１】
■■■第２の実施例■■■■  
続いて図１３を参照して、第２の実施例に係るプリンター１１６について説明する。第２の実施例は、隙間形成部材１０４が複数設けられている点で第１の実施例と相違する。
【００８２】
第２の実施例において隙間形成部材１０４は、前縁部９６においてハウジング２０の前記走査方向における両端部に配置されている。このため、複数の隙間形成部材１０４（本実施例では２つの隙間形成部材）によりスキャナーユニット１４の自由端側１４ａを支持することとなる。
【００８３】
その結果、前記走査方向においてスキャナーユニット１４の両側を隙間形成部材１０４により支持することから、外力等によりスキャナーユニット１４が前記走査方向に傾く虞を低減することができる。その結果、スキャナーユニット１４によりインクチューブ１１０が押し潰される虞を低減することができる。
【００８４】
■■■第３の実施例■■■■  
続いて図１４を参照して、第３の実施例に係るプリンター１１８について説明する。第３の実施例は、隙間形成部材に貫通穴が複数設けられている点で第１の実施例と相違する。
【００８５】
第３の実施例において隙間形成部材１２０は、前記走査方向における前縁部９６の中央部に設けられている。隙間形成部材１２０には少なくとも１つの貫通穴１２２が設けられている。本実施例における隙間形成部材１２０には４つの貫通穴１２２ａ，１２２ｂ，１２２ｃ，１２２ｄが形成されている。
【００８６】
各貫通穴１２２ａ，１２２ｂ，１２２ｃ，１２２ｄには、インク中継部１０８ａ，１０８ｂ，１０８ｃ，１０８ｄから延出したインクチューブ１１０ａ，１１０ｂ，１１０ｃ，１１０ｄがそれぞれ通されて貫通穴１２２ａ，１２２ｂ，１２２ｃ，１２２ｄに固定されている。
【００８７】
このため、スキャナーユニット１４の自由端側１４ａが隙間形成部材１２０と係合した際、インクチューブ１１０ａ，１１０ｂ，１１０ｃ，１１０ｄは、前記装置高さ方向においてスキャナーユニット１４の自由端側１４ａよりも下方に位置することとなる。その結果、本実施例のプリンター１１８においては、スキャナーユニット１４によりインクチューブ１１０ａ，１１０ｂ，１１０ｃ，１１０ｄのインク流路を遮断する虞がなく、あるいは虞が少ない。
【００８８】
したがって、インクチューブ１１０ａ，１１０ｂ，１１０ｃ，１１０ｄは、インク収容部１１２ａ，１１２ｂ，１１２ｃ，１１２ｄから記録ヘッド６４に円滑にインクを導くことができる。
【００８９】
■■■第４の実施例■■■■  
続いて図１５を参照して、第４の実施例に係るプリンター１２４について説明する。第４の実施例は、隙間形成部材１２０が複数設けられている点で第３の実施例と相違する。
【００９０】
第４の実施例において隙間形成部材１２０は、前縁部９６においてハウジング２０の前記走査方向における両端部に配置されている。このため、複数の隙間形成部材１２０（本実施例では２つの隙間形成部材）によりスキャナーユニット１４の自由端側１４ａを支持することとなる。その結果、前記走査方向においてスキャナーユニット１４の両側を隙間形成部材１０４により支持することから、外力等によりスキャナーユニット１４が前記走査方向に傾く虞を低減することができる。
【００９１】
また、インクチューブ１１０ａ，１１０ｂ，１１０ｃ，１１０ｄは、貫通穴１２２ａ，１２２ｂ，１２２ｃ，１２２ｄに通されていることから、スキャナーユニット１４の自由端側１４ａが隙間形成部材１２０と係合した際、インクチューブ１１０ａ，１１０ｂ，１１０ｃ，１１０ｄは、前記装置高さ方向においてスキャナーユニット１４の自由端側１４ａよりも下方に位置することとなる。
【００９２】
その結果、スキャナーユニット１４によりインクチューブ１１０のインク流路が遮断される虞がなく、あるいはその虞を低減することができる。したがって、インクチューブ１１０ａ，１１０ｂ，１１０ｃ，１１０ｄは、インク収容部１１２ａ，１１２ｂ，１１２ｃ，１１２ｄから記録ヘッド６４に円滑にインクを導くことができる。
【００９３】
＜＜＜第１の実施例ないし第４の実施例の変更例＞＞＞  
（１）インクチューブ１１０ａ，１１０ｂ，１１０ｃ，１１０ｄは、インク中継部１０８ａ，１０８ｂ，１０８ｃ，１０８ｄからインク収容部１１２ａ，１１２ｂ，１１２ｃ，１１２ｄまでの間に適宜結束バンド等の結束手段１１４により束ねる構成としても良い。
（２）インクチューブ１１０を前縁部９６に固定される構成に代えて、後縁部９８に固定するすなわちスキャナーユニット１４の回動軸７４側に配置する構成としてもよく、ハウジング２０の上面９４において開口部９０の周囲を利用して固定する構成としても良い。
（３）インクチューブ１１０ａ，１１０ｂ，１１０ｃ，１１０ｄをハウジング２０の左側方から延出させる構成に代えて、インクチューブ１１０ａ，１１０ｂ，１１０ｃ，１１０ｄをハウジング２０の右側方から延出させる構成としても良い。
【００９４】
（４）図１２に示すように、インクチューブ１１０ａ，１１０ｂをハウジング２０の左側方から延出させ、ハウジング２０の左側方に設けられたインク収容部１１２ａ，１１２ｂにそれぞれ接続し、インクチューブ１１０ｃ，１１０ｄをハウジング２０の右側方に設けられたインク収容部１１２ｃ，１１２ｄにそれぞれ接続する構成としても良い。  
（５）隙間形成部材１０４を前縁部９６に設ける構成に代えて、後縁部９８に設ける構成としても良い。
【００９５】
（６）インク収容部１１２ａ，１１２ｂ，１１２ｃ，１１２ｄは、ハウジング２０に一体に形成されていても良く、ハウジング２０から間隔をおいて配置されていても良く、インク収容部の一部をハウジング２０の右側方に配置し、残りのインク収容部をハウジング２０の左側方に配置する構成としても良い。  
（７）本実施例ではインク中継部１０８をインク中継部１０８ａ，１０８ｂ，１０８ｃ，１０８ｄの４つから構成したが、４つに限定するものではなく、インク中継部１０８をインクの色に対応する数で構成し、例えば６つとしても良い。
【００９６】
（８）装置本体（記録ユニット）１２の上部を開閉する開閉体は上記実施形態ではスキャナーユニット１４であるが、これに限られず、単なるカバーであっても良いし、或いはスキャナー機能に換えて他の機能を有する機能ユニットであっても良い。  
（９）インク収容部（インクタンク）１１２を複数個として本実施形態に記載したが、例えば黒色など一色のインク用のインク収容部を一つ設け、インクチューブ１１０も黒色のインク用として１本だけ設ける構成としても良い。
【００９７】
上記説明をまとめると本実施例のプリンター１０，１１６，１１８，１２４は、用紙Ｐに対してインクを吐出する記録ヘッド６４を備えるキャリッジ６６を、記録ヘッド６４の走査方向に移動可能に装置本体に有する装置本体１２と、該装置本体１２の上部に設けられ、装置本体１２の上部を開閉可能なスキャナーユニット１４と、を備えている。装置本体１２は、キャリッジ６６の移動領域における少なくとも一部の移動領域上方を露呈させる開口部９０を形成するハウジング２０と、該ハウジング２０において開口部９０周囲の上面９４を利用して固定され、スキャナーユニット１４と装置本体１２との間からハウジング２０の外方に延出する、インクを収容するインク収容部１１２から送られるインクをキャリッジ６６へと導く可撓性を有するインクチューブ１１０と、用紙Ｐを収容する上段側トレイ２８及び下段側トレイ２６から用紙Ｐを送り出す給送手段４６と、装置本体１２の奥行き方向に変位可能に設けられ、媒体排出方向上流側に給送手段４６を避ける逃げ部３０ｄが形成された、排出される用紙Ｐを受ける媒体受けトレイ３０とを備えている。
【００９８】
装置本体１２の奥行き方向において、装置本体１２手前側から奥方に向かってスキャナーユニット１４の自由端側１４ａ、開口部９０、スキャナーユニット１４の回動軸７４、の順に配置されている。インクチューブ１１０は、開口部９０に対してスキャナーユニット１４の自由端側１４ａに配置され、或いは開口部９０に対してスキャナーユニット１４の回動軸７４側に配置されている。
【００９９】
プリンター１０，１１６，１１８，１２４は、インクチューブ１１０を複数本備えている。インクチューブ１１０は、水平方向に配列されている。また、プリンター１０，１１６，１１８，１２４において、複数本のインクチューブ１１０のうち少なくとも１本以上のインクチューブ１１０が、ハウジング２０の左側方に出ており、残るインクチューブ１１０が、ハウジング２０の右側方に出ている。
【０１００】
プリンター１０，１１６，１１８，１２４は、ハウジング２０の外側にインクチューブ１１０が接続されたインク収容部１１２を備えている。
【０１０１】
また、本実施形態では本発明に係る装置本体１２及びスキャナーユニット１４を記録装置の一例としてのインクジェットプリンターに適用したが、その他液体噴射装置一般に適用することも可能である。  
ここで、液体噴射装置とは、インクジェット式記録ヘッドが用いられ、該記録ヘッドからインクを吐出して被記録媒体に記録を行うプリンター、複写機及びファクシミリ等の記録装置に限らず、インクに代えてその用途に対応する液体を前記インクジェット式記録ヘッドに相当する液体噴射ヘッドから被記録媒体に相当する被噴射媒体に噴射して、前記液体を前記被噴射媒体に付着させる装置を含むものである。
【０１０２】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【０１０３】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【０１０４】
１０，１１６，１１８，１２４  プリンター、１２  装置本体、
１４  スキャナーユニット、１４ａ  由端側、１６，２４  カバー、１８  原稿台、
２０  ハウジング、２２  操作パネル、２６  下段側トレイ、２８  上段側トレイ、
３０  媒体受けトレイ、３０ａ  用紙受け面、３０ｂ  端部、３０ｃ  ラック部、
３０ｄ  逃げ部、３０ｅ  隆起部、３０ｆ  斜面、３２  手差しカバー、
３４  手差しトレイ、３６  給送ローラー、３８  回動軸、４０  揺動部材、
４２  伝達歯車、４４  歯車輪列、４６  給送手段、４８  分離斜面、５０  ストッパー、５２  中間ローラー、５４  従動ローラー、６０  搬送駆動ローラー、
６２  搬送従動ローラー、６４  記録ヘッド、６６  キャリッジ、
６８  支持部材（プラテン）、６９  反転経路、７０  排出駆動ローラー、
７１  反転ローラー、７２  排出従動ローラー、７４  回動軸、７６  読み取りユニット、
７８  ガイドレール、８０  被ガイド部、８２  従動ローラー、８４  底面、
８６  突状部、８６ａ  傾斜面、８６ｂ  垂直面、８８  両面ユニット、９０  開口部、
９２  フレーム、９４  上面、９６  前縁部、９８  後縁部、１００  前面パネル部、
１０２  頂部、１０４，１２０  隙間形成部材、１０６  空間、
１０８，１０８ａ，１０８ｂ，１０８ｃ，１０８ｄ  インク中継部、
１１０，１１０ａ，１１０ｂ，１１０ｃ，１１０ｄ  インクチューブ、
１１２，１１２ａ，１１２ｂ，１１２ｃ，１１２ｄ  インク収容部、１１４  結束手段、
１２２，１２２ａ，１２２ｂ，１２２ｃ，１２２ｄ  貫通穴、Ｐ，Ｐ１，Ｐ２  用紙、
Ｔ１，Ｔ２  用紙給送経路
【図１】
2014034204.tif 000003
【図２】
2014034204.tif 000004
【図３】
2014034204.tif 000005
【図４】
2014034204.tif 000006
【図５】
2014034204.tif 000007
【図６】
2014034204.tif 000008
【図７】
2014034204.tif 000009
【図８】
2014034204.tif 000010
【図９】
2014034204.tif 000011
【図１０】
2014034204.tif 000012
【図１１】
2014034204.tif 000013
【図１２】
2014034204.tif 000014
【図１３】
2014034204.tif 000015
【図１４】
2014034204.tif 000016
【図１５】
2014034204.tif 000017
【図１６】
2014034204.tif 000018